(57)【要約】【課題】トレイ体の載置収納部に、このトレイ体へのタンクの収納を阻害することなく前記載置収納部の収納縦巾若しくは載置収納部の収納横巾を巾広及び巾狭に適宜設定変更し得る調整体を設け、この調整体を所定位置に適宜位置変更することで、前記収納縦巾若しくは前記収納横巾を巾広にも巾狭にも設定することができるタンク収納トレイを提供すること。【解決手段】タンク４を載置収納し得るトレイ体１の載置収納部２に、この載置収納部２に載置収納するタンク４と前記載置収納部２との間に介在し得る調整体３を着脱自在若しくは可動自在に設け、前記載置収納部２と前記タンク４との間に調整体３を介在させる巾狭設定位置７と、前記載置収納部２と前記タンク４との間に調整体３を介在させない巾広設定位置８とに、前記調整体３を適宜位置変更可能に構成し、前記載置収納部２の収納縦巾若しくは収納横巾を変更し得るように構成したタンク収納トレイ。【選択図】　　　　図１
2004142757.tif 000002
【特許請求の範囲】
【請求項１】
タンクを載置収納し得るトレイ体の載置収納部に、この載置収納部に載置収納するタンクと前記載置収納部との間に介在し得る調整体を着脱自在若しくは可動自在に設け、前記載置収納部と前記タンクとの間に調整体を介在させる巾狭設定位置と、前記載置収納部と前記タンクとの間に調整体を介在させない巾広設定位置とに、前記調整体を適宜位置変更可能に構成し、前記載置収納部の収納縦巾若しくは収納横巾を変更し得るように構成したことを特徴とするタンク収納トレイ。
【請求項２】
前記タンクを収納する上部開口形の前記トレイ体において、前記調整体を載置収納部の内側面又は載置収納部の内側面及び上面に設けたことを特徴とする請求項１記載のタンク収納トレイ。
【請求項３】
前記載置収納部の内部側面に前記トレイ体を補強するための補強部を突出状態に設け、この補強部の内側表面部に前記調整体を設け、この調整体を補強部と前記タンクとの間に介在する巾狭設定位置に位置させた際、載置収納部の収納縦巾若しくは載置収納部の収納横巾が巾狭となり、前記調整体を補強部と前記タンクとの間に介在させない前記巾広設定位置に位置させた際、載置収納部の収納縦巾若しくは載置収納部の収納横巾が巾広となるように構成したことを特徴とする請求項１，２のいずれか１項に記載のタンク収納トレイ。
【請求項４】
前記調整体を載置収納部に対して着脱若しくはスライド移動若しくは回動することにより前記巾狭設定位置及び前記巾広設定位置に適宜位置変更し得るように構成したことを特徴とする請求項１〜３のいずれか１項に記載のタンク収納トレイ。
【発明の詳細な説明】
【０００１】
【発明の属する技術分野】
本発明は、例えば石油ストーブや石油ファンヒーターの灯油タンクに入れるための灯油を収納したポリタンクを載置するためのタンク収納トレイに関するものである。
【０００２】
【従来の技術及び発明が解決しようとする課題】
石油ファンヒーターなどの燃料となる灯油を入れたポリタンクを載置収納して屋内や車内の床面を汚さないようにしたタンク収納トレイが市販されている。
【０００３】
このタンク収納トレイは、例えば浅皿状のトレイ体に滑り止め機構を施した脚部などを設けた構成とし、灯油を入れたポリタンクを床面に直接載置せず、このトレイ体に載置することで、誤ってタンクの注出入口から灯油がこぼれ落ちても床面を汚したりすることがないようにしたものである。
【０００４】
ところで、灯油を収納するためのポリタンクには、一般的に、容量が大きい業務用と、この業務用に比して容量が小さい家庭用とが市販されている。
【０００５】
更に、例えば同じ家庭用のポリタンクでも、容量が大きめなものと小さめなものとが市販されている。
【０００６】
そのため、トレイ体にポリタンクを収納する際（例えば家庭用のトレイ体に家庭用のポリタンクを収納する際）、トレイ体に対してポリタンクが大きいとポリタンクがトレイ体にきつく嵌め込まれてしまい、これにより、トレイ体に対するタンクの出し入れが行いづらくなる問題点があった。
【０００７】
また、トレイ体に対してポリタンクが小さいと、ポリタンクとトレイ体との間に隙間が生じて不安定となり、これにより、特に車のトランクルームに乗せて移動する際等には振動によってポリタンクがトレイ体内でがたついてポリタンクがトレイ体とともに転倒しかねないという懸念があった。
【０００８】
そこで、本発明は、上記問題点に着目し、検討，試作を繰り返した末解決したもので、トレイ体の載置収納部に、この載置収納部の収納縦巾若しくは載置収納部の収納横巾を巾広及び巾狭に適宜設定変更し得る調整体を設け、この調整体を所定位置に適宜位置変更するだけで、前記収納縦巾若しくは前記収納横巾を巾広にも巾狭にも設定でき、しかも、この位置変更は簡単な操作で行うことができる上に、この調整体はトレイ体へのタンクの載置収納を阻害することなく載置収納部内において保管保持でき、前記収納縦巾若しくは収納横巾が巾広な状態又は巾狭な状態を維持することができる実用性に秀れた画期的なタンク収納トレイを提供することを目的としている。
【０００９】
【課題を解決するための手段】
添付図面を参照して本発明の要旨を説明する。
【００１０】
タンク４を載置収納し得るトレイ体１の載置収納部２に、この載置収納部２に載置収納するタンク４と前記載置収納部２との間に介在し得る調整体３を着脱自在若しくは可動自在に設け、前記載置収納部２と前記タンク４との間に調整体３を介在させる巾狭設定位置７と、前記載置収納部２と前記タンク４との間に調整体３を介在させない巾広設定位置８とに、前記調整体３を適宜位置変更可能に構成し、前記載置収納部２の収納縦巾若しくは収納横巾を変更し得るように構成したことを特徴とするタンク収納トレイに係るものである。
【００１１】
また、前記タンク４を収納する上部開口形の前記トレイ体１において、前記調整体３を載置収納部２の内側面又は載置収納部２の内側面及び上面に設けたことを特徴とする請求項１記載のタンク収納トレイに係るものである。
【００１２】
また、前記載置収納部２の内部側面に前記トレイ体１を補強するための補強部５を突出状態に設け、この補強部５の内側表面部に前記調整体３を設け、この調整体３を補強部５と前記タンク４との間に介在する巾狭設定位置７に位置させた際、載置収納部２の収納縦巾若しくは載置収納部２の収納横巾が巾狭となり、前記調整体３を補強部５と前記タンク４との間に介在させない前記巾広設定位置８に位置させた際、載置収納部２の収納縦巾若しくは載置収納部２の収納横巾が巾広となるように構成したことを特徴とする請求項１，２のいずれか１項に記載のタンク収納トレイに係るものである。
【００１３】
また、前記調整体３を載置収納部２に対して着脱若しくはスライド移動若しくは回動することにより前記巾狭設定位置７及び前記巾広設定位置８に適宜位置変更し得るように構成したことを特徴とする請求項１〜３のいずれか１項に記載のタンク収納トレイに係るものである。
【００１４】
【発明の実施の形態】
好適と考える本発明の実施の形態（発明をどのように実施するか）を、図面に基づいてその作用効果を示して簡単に説明する。
【００１５】
調整体３を巾狭設定位置７に位置させると、この調整体３が載置収納部２とタンク４との間に介在することとなり、この調整体３の厚み分、載置収納部２の収納縦巾若しくは載置収納部２の収納横巾は巾狭となる。
【００１６】
また、調整体３を巾広設定位置８に位置させると、この調整体３が載置収納部２とタンク４との間に介在せず、よって、前述した狭設定位置７に調整体３を位置させた場合に比して調整体３の厚み分、前記収納縦巾若しくは前記収納横巾は巾広となる。
【００１７】
即ち、本発明は、収納縦巾若しくは収納横巾を巾狭に設定する巾狭設定位置７、及び、収納縦巾若しくは収納横巾を巾広に設定する巾広設定位置８に適宜位置変更できる調整体３を載置収納部２に設けたため、例えば、載置収納部２に対して小さめのタンク４をトレイ体１に載置収納したい場合には、載置収納部２に設けた調整体３を単に巾狭設定位置７に位置させるだけで、前記収納縦巾若しくは前記収納横巾を巾狭に設定して前記タンク４をがたつかせることなく安定して載置収納できることとなる。
【００１８】
一方、載置収納部２に対して大きめのタンク４をトレイ体１に載置収納したい場合には、載置収納部２に設けた調整体３を単に巾広設定位置８に位置させるだけで、前記収納縦巾若しくは前記収納横巾を巾広に設定して前記タンク４がきつく嵌合されることなく、また、がたつくこともなく、トレイ体１に対してタンク４を容易に出し入れできる状態で安定して載置収納できることとなる。
【００１９】
また、本発明の調整体３は、前記巾狭設定位置７及び前記巾広設定位置８に適宜位置変更可能であり、且つ、その位置させた状態を維持することが可能であるため、例えば、調整体３を巾狭設定位置７に位置させた際、この調整体３が載置収納部２とこの載置収納部２に収納したタンク４とに挟持押圧された状態でなくとも、前記収納縦巾若しくは前記収納横巾を巾狭とした状態を維持できることとなる。
【００２０】
言い換えれば、調整体３とタンク４との間に若干の隙間が生じていても、調整体３は位置ずれしたり落下したりすることがなく、これにより、トレイ体１に対してタンク４を容易に出し入れできる状態で、且つ、安定して載置収納できることとなる。
【００２１】
また、本発明の調整体３は、この調整体３を載置収納部２とタンク４との間に介在させるときは勿論、介在させないときも、載置収納部２内に配置されているため、例えば、載置収納部２とタンク４との間に調整体３を介在させないときに、この調整体３をトレイ体１外の所定場所に保管（収納）したりする必要がなく、利便性が良い。
【００２２】
従って、本発明は、トレイ体の載置収納部に、この載置収納部の収納縦巾若しくは載置収納部の収納横巾を巾広及び巾狭に適宜設定変更し得る調整体を設け、この調整体を所定位置に適宜位置変更するだけで、前記収納縦巾若しくは前記収納横巾を巾広にも巾狭にも設定でき、しかも、この位置変更は簡単な操作で行うことができる上に、この調整体はトレイ体へのタンクの載置収納を阻害することなく載置収納部内において保管保持でき、前記収納縦巾若しくは収納横巾が巾広な状態又は巾狭な状態を維持することができる実用性に秀れた画期的なタンク収納トレイとなる。
【００２３】
また、例えば、タンクを収納し得る上部開口形のトレイ体１において、前記調整体３を載置収納部２の内側面又は載置収納部２の内側面及び上部上面に設けた構成とすれば、上記作用効果を簡易に実現できることとなるなど、一層実用的となる。
【００２４】
また、例えば、前記載置収納部２の内部側面に前記トレイ体１を補強するための補強部５を突出状態に設け、この補強部５の内側表面部に前記調整体３を設けた構成とすれば、補強部５によってトレイ体１の強度を上げることができ、また、補強部５は載置収納部２の内部側面に対して突出状態となっていることで、この補強部５により前記収納縦巾若しくは前記収納横巾を巾広に設定でき、即ち、調整体３が載置収納部２に載置収納したタンク４と補強部５との間に介在する位置（即ち巾狭設定位置７）、及び、調整体３が前記タンク４と補強部５との間に介在しない位置（即ち巾広設定位置８）に、簡易に位置変更でき、また、調整体３を、載置収納部２とタンク４との間に介在させない際にも、この調整体３を載置収納部２内に確実に保管（収納）しておけることとなるなど、一層実用的となる。
【００２５】
また、例えば、前記調整体３を載置収納部２に対して着脱若しくはスライド移動若しくは回動することにより前記巾狭設定位置７及び前記巾広設定位置８に位置変更し得るように構成すれば、簡易な操作によって前記収納縦巾若しくは前記収納横巾を変更できることとなるなど、一層実用的となる。
【００２６】
【実施例】
図面は本発明の一実施例を図示したものであり、以下に説明する。
【００２７】
本実施例は、タンク４を載置収納し得るトレイ体１の載置収納部２に、この載置収納部２に載置収納したタンク４と前記載置収納部２との間に介在し得る調整体３を設け、この調整体３を、前記載置収納部２と前記タンク４との間に介在する巾狭設定位置７と、前記載置収納部２と前記タンク４との間に介在しない巾広設定位置８とに適宜位置変更可能に構成することで、載置収納部２の収納横巾を変更し得るようにしたタンク収納トレイに係るものである。
【００２８】
トレイ体１は、図１に示すように、平面視長方形状にしてタンク４の下部を被嵌し得る深さに設定した浅皿状に形成した構成としている。
【００２９】
そして、このトレイ体１の内部をタンク４が載置収納される載置収納部２に設定している。
【００３０】
また、トレイ体１の上部両側縁部には、図１，１１，１２に示すように、トレイ体１の横巾方向に別のトレイ体１を連結するための連結部１０を設けた構成としている。
【００３１】
具体的には、トレイ体１の上部両側縁部のうち、一側部に断面逆Ｌ字状の係止爪体１０Ａを所定間隔を置いて二箇所に突設し、他側部には前記係止爪体１０Ａが丁度係合係止される係合孔１０Ｂを設けた構成としている。
【００３２】
即ち、トレイ体１の上部一側縁部に設けた係止爪体１０Ａと、他のトレイ体１の上部他側縁部に設けた係合孔１０Ｂとを係合係止することで、トレイ体１を横巾方向に複数連結できる構成としている。
【００３３】
また、トレイ体１の長さ方向にして上部一端縁部には、ポンプの放出口を受けるためのポンプ放出口受部１７を設けた構成としている。これにより、灯油等の燃料を収容したタンク４にポンプを差し込んだままの状態とした際に、ポンプ放出口から灯油等がこぼれ落ちても床面を汚してしまうことはない。
【００３４】
トレイ体１の内部側面には、トレイ体１を補強するための補強部５を突出状態に設けた構成としている。
【００３５】
この補強部５は、図１に示すように、トレイ体１の内部側面にして上下方向に所定巾を有した補強凸条５Ａを設けて構成している。また、この補強凸条５Ａは、下方にいくにつれてその巾及び突出度合いが徐々に大きくなるように構成している。
【００３６】
この補強凸条５Ａは、トレイ体１の外部側面を内方に向けて押圧成形することで形成される。
【００３７】
具体的には、この補強凸条５Ａは、トレイ体１の長さ方向に所定間隔を置いて複数設けた構成としている。
【００３８】
更に具体的には、補強凸条５Ａはトレイ体１の両側面部に二箇所ずつ、即ち、トレイ体１一体当たり四箇所に対向状態に設けた構成としている。
【００３９】
そして、図２，図４〜１０に示すように、補強凸条５Ａの突出先端面を巾狭設定位置７とし、補強凸条５Ａの突出上面若しくは突出上面上及び突出側面若しくは突出側面上を巾広設定位置８としている。尚、補強凸条５Ａの突出度合いは、対向する補強凸条５Ａの突出先端面間の距離が、載置収納部２の収納横巾を巾広に設定し得る突出度合いに設定している。
【００４０】
補強凸条５Ａには、図１〜３に示すように、載置収納部２の収納横巾を調整し得る調整体３を可動自在に設けた構成としている。
【００４１】
この図１〜３に示した調整体３は、載置収納部２とこの載置収納部２に載置収納されたタンク４との間に介在し、収納横巾を調整する調整板３Ａと、この調整板３Ａを補強凸条５Ａの突出先端面又は突出側面に垂下状態に配設する連結板３Ｂとで構成し、更に連結板３Ｂの一端部には、連結板３Ｂ及び調整板３Ａを補強凸条５Ａにスライド移動自在に係合係止するための回動係合体３Ｃを突設した構成としている。
【００４２】
また、調整体３の調整板３Ａは、図２，図３に示すように、調整板３Ａの補強凸条５Ａ当接側を、先端に向けて板薄としたテーパ状に形成した構成としている。
【００４３】
これは、補強凸条５Ａが、図２，図３に示すように下方にいくにつれて突出度合いを大きくするように構成してあることで突出先端面が傾斜しているため、側面が略垂直状のタンク４を載置収納部２に収納した際に、この垂直状のタンク４の側面と、傾斜した突出先端面との間に調整体３を良好に介在させられるようにするためである。
【００４４】
尚、後述する調整体の別例において、前記調整体３と同じく調整板３Ａの補強凸条５Ａ当接側が、先端に向けて板薄としたテーパ状となっているものは、同様の理由による。
【００４５】
また、補強凸条５Ａの突出上面にして突出先端角部近傍には、回動係合体３Ｃを差し込み係止するための係止孔（図示省略）を設けた構成としている。
【００４６】
また、調整体３は、合成樹脂等により一体成形した構成としている。これにより、調整体３を容易に製造でき、秀れた量産性を発揮することができる。また、係合孔（図示省略）に回動係合体３Ｃを容易に差し込めることとなる。
【００４７】
そして、調整体３は、係合孔（図示省略）に前記回動係合体３Ｃを差し込み係止すると、この回動係合体３Ｃが前記係合孔内で回動自在となることで、連結板３Ｂが突出上面を水平方向に回動自在となり、この連結板３Ｂの他端部に付設した調整板３Ａが補強凸条５Ａの突出先端面（巾狭設定位置７）及び突出側面（巾広設定位置８）間（即ち補強凸条５Ａの角部及び角部付近）をスライド移動し得ることとなる。
【００４８】
これにより、調整板３Ａを補強凸条５Ａに対してスライド移動させて巾狭設定位置７に位置させるだけで、図３に示すように、載置収納部２に載置収納したタンク４と補強凸条５Ａの突出先端面との間に調整板３Ａが介在し、よって、載置収納部２の収納横巾が調整板３Ａの板厚分、巾狭となって例えば同じ家庭用のタンク４でも小さめに形成されたタンク４をがたつくことなく安定して載置収納部２に安定収納することができる。
【００４９】
また、調整板３Ａを補強凸条５Ａに対してスライド移動させて巾広設定位置８に位置させるだけで、載置収納部２の収納横巾が、調整板３Ａを巾狭設定位置７に位置させた場合に比して調整板３Ａの板厚分、巾広となり、即ち、載置収納部２の収納横巾は夫々の補強凸条５Ａの突出先端面によって巾広に設定され、よって、同じ家庭用のタンク４でも大きめに形成されたタンク４をきつく嵌合されることなく安定して載置収納することができる。
【００５０】
尚、本実施例では、回動係合体３Ｃを差し込み係止するための係合孔（図示省略）を、補強凸条５Ａの突出上面にして突出先端角部近傍に設けた構成としたが、調整板３Ａを巾狭設定位置７及び巾広設定位置８に適宜位置変更させ得れば、例えば、突出上面の中央位置に設けても良いし、突出上面にして突出基端部近傍に設けても良い。
【００５１】
また、調整板３Ａの板厚に関しては、市販されている種々の大きさのタンクに合わせて適宜設定し得るものであり、厚く設定しても良いし薄く設定しても良いし、厚さの異なる調整板３Ａを有する調整体３を複数用意し、タンク４の大きさに応じてこの複数の調整体３から所望の調整体３を選択して使用する構成としても良い。
【００５２】
また、本実施例では、載置収納部２の収納横巾を所定巾に設定し得るものとして板状の調整板３Ａを採用したが板状でなくとも良く、例えば球状としても良いし、かまぼこ状としても良いし、筒状としても良い。
【００５３】
図４〜１０は調整体３の別例を示したもので、以下に説明する。
【００５４】
図４に示した調整体３は、図４（ｃ）に示すように、載置収納部２の収納横巾を調整し得る調整板３Ａと、補強凸条５Ａの突出上面から突出先端面にかけて縦方向に形成したスライド用長窓孔１２に係合して前記調整板３Ａをスライド移動自在とするスライド用係合体１３とで形成された構成としている。
【００５５】
即ち、図４に示す調整体３は、補強凸条５Ａを縦方向にスライド移動自在に構成している。
【００５６】
これにより、図４（ｃ）に示した調整体３を前記スライド用長窓孔１２に係合し、この調整体３を、図４（ａ）に示すように、補強凸条５Ａの突出上面（巾広設定位置８）に位置させると、載置収納部２の収納横巾はトレイ体１の内部両側面に対向状態で設けられた補強凸条５Ａの夫々の突出先端面によって巾広に設定されることとなる。
【００５７】
また、調整体３を補強凸条５Ａの突出先端面に向けてスライド移動させると、図４（ｂ）に示すように、調整板３Ａは補強凸条５Ａの突出先端面（巾狭設定位置７）に位置し、これにより、載置収納部２の収納横巾は調整体３Ａの板厚分、巾狭に設定されることとなる。
【００５８】
従って、図４に示した調整体３を、必要に応じて補強凸条５Ａの突出上面（巾広設定位置８）及び補強凸条５Ａの突出先端面（巾狭設定位置７）に縦方向に適宜スライド移動させて位置変更するだけで、載置収納部２の収納横巾を巾広にも巾狭にも設定することができる。
【００５９】
また、調整体３は、板状の調整板３Ａにスライド用係合体１３を突設しただけの構成のため、簡易に設計実現可能であり、秀れた量産性を発揮することができる。
【００６０】
図５に示す調整体３は、図４に示す調整体３と同様の構成、即ち、調整板３Ａとスライド用係合体１３とで構成されており、この調整体３を補強凸条５Ａに対してスライド移動せしめるスライド用長窓孔１２を補強凸条５Ａの突出側面から突出先端面にかけて横方向に設けた構成としている。
【００６１】
即ち、図５に示す調整体３は、横方向にスライド移動自在に構成している。
【００６２】
これにより、図５（ｃ）に示す調整体３を補強凸条５Ａに設けたスライド用長窓孔１２に係合させ、図５（ａ）に示すように補強凸条５Ａの突出側面（巾広設定位置８）に位置させると載置収納部２の収納横巾は補強凸条５Ａの突出先端面により巾広に設定されることとなる。
【００６３】
また、調整体３を補強凸条５Ａの突出先端面に向けてスライド移動させ、図５（ｂ）に示すように、調整板３Ａを補強凸条５Ａの突出先端面に位置させると、載置収納部２の収納横巾は、調整板３Ａの板厚によって巾狭に設定されることとなる。
【００６４】
従って、調整体３を、補強凸条５Ａに対して横方向にスライド移動させるだけで、収納横巾を巾広又は巾狭に適宜設定することができる。
【００６５】
また、図４に示した調整体３同様、簡易な構成のため容易に設計実現でき、これにより、秀れた量産性を発揮することができる。
【００６６】
図６に示した調整体３は、載置収納部２の収納横巾を調整する調整板３Ａと、この調整板３Ａを補強凸条５Ａの突出先端面に垂下状態で配置するための連結板３Ｂとを軸部１４を介して回動自在に連結した構成としている。
【００６７】
具体的には、調整板３Ａと連結板３Ｂとは夫々方形状に形成し、前記連結板３Ｂを補強凸条５Ａの突出上面に付設することで、この連結板３Ｂに回動自在に連結した調整体３Ａが補強凸条５Ａの突出先端面に位置し得る構成としている。
【００６８】
これにより、調整板３Ａを連結板３Ｂに対して回動させ、この連結板３Ｂに近接若しくは当接させて（図６のａ図においては近接）前記調整板３Ａを補強凸条５Ａの突出上面上（巾広設定位置８上）に位置させると、載置収納部２の収納横巾は補強凸条５Ａの夫々の突出先端面によって巾広に設定されることとなる。
【００６９】
また、調整板３Ａを連結板３Ｂに対して軸部１４を介して回動し、調整板３Ａを補強凸条５Ａの突出先端面（巾狭設定位置７）に位置させると、補強凸条５Ａとタンク４との間に調整板３Ａが介在することとなり、即ち、この調整板３Ａの板厚分、収納横巾は巾狭となる。
【００７０】
従って、調整板３Ａを連結板３Ｂに対して縦方向に回動（擺動）するだけで、巾広設定位置８及び巾狭設定位置７に適宜位置変更でき、これにより、載置収納部２の収納横巾を簡単に巾広にも巾狭にも設定することができる。
【００７１】
図７に示す調整体３は、載置収納部２の収納横巾を調整する調整板３Ａとして断面視Ｌ字状の板材を採用し、前記板材に、この板材を補強凸条５Ａの突出先端面に垂下状態に位置させる連結板３Ｂを軸部（図示省略）を介して回動自在に連結した構成としている。
【００７２】
また、調整板３Ａと連結板３Ｂとは、調整板３Ａの一端部、即ち、断面視Ｌ字状の板材の底部３ａの先端両側部を連結板３Ｂの一端部に軸着することで回動自在に連結した構成としている。
【００７３】
具体的には、連結板３Ｂは平面視コ字状に形成し、調整板３Ａを補強凸条５Ａの突出上面上に位置させた際、前記板材の底部３ａ外面が前記平面視コ字状の連結板３Ｂの開口部１５に丁度嵌合して調整板３Ａは立設状態となる構成としている。
【００７４】
これにより、調整板３Ａを補強凸条５Ａの突出上面上（巾広設定位置８上）に位置させた際、調整板３Ａは突出上面に立設状態となり、これにより、載置収納部２に収納されるタンク４と補強凸条５Ａとの間に調整板３Ａは介在せず、よって、載置収納部２の収納横巾は補強凸条５Ａの夫々の突出先端面により巾広に設定されることとなる。
【００７５】
また、調整板３Ａを連結板３Ｂに対して回動すると、断面視Ｌ字状の板材（調整板３Ａ）の折曲部が補強凸条５Ａの突出上面と突出先端面との角部に当接し、調整板３Ａの一部が突出先端面（巾狭設定位置７）に位置し、この調整板３Ａの板厚によって載置収納部２の収納横巾が巾狭に設定されることとなる。
【００７６】
従って、図７に示す調整体３は、断面視Ｌ字状の板材（調整板３Ａ）の折曲部が、補強凸条５Ａの突出上面と突出先端面との角部に良好に当接係合して調整板３Ａが突出先端面に位置されるため、この調整板３Ａは突出先端面に一層安定して位置させることができる。
【００７７】
図８に示した調整体３は、調整板３Ａと連結板３Ｂとを夫々折り畳みできるように構成したものである。
【００７８】
具体的には、連結板３Ｂは調整板３Ａ付設側となる一端部側所定位置において縦方向に所定角度回動するように構成している。尚、本実施例では、連結板３Ｂは２７０度以上回動するように構成している。
【００７９】
また、この連結板３Ｂには、連結板３Ｂを補強凸条５Ａに係止するための係止体３Ｄを突設した構成としている。
【００８０】
また、この連結板３Ｂの先端には、長方形状の板体にして二つ折り可能に形成した調整体３Ａを付設した構成としている。
【００８１】
これにより、図８の（ａ）に示すように、補強凸条５Ａの突出上面に設けた係止孔（図示省略）に係止体３Ｄを差し込み係止し、連結板３Ｂと調整体３Ａとを折り畳んだ状態とすると、調整体３は補強凸条５Ａの突出上面上、即ち、巾広設定位置８に位置することで、補強凸条５Ａの夫々の突出先端面により収納横巾が巾広に設定され、大きめのタンク４を載置収納部２にきつく嵌合されることなく安定して載置収納することができる。
【００８２】
また、図８の（ｂ）に示すように、調整体３Ａを連結板３Ｂに対しておよそ２７０度回動すると、二つ折り状態の調整板３Ａが補強凸条５Ａの突出先端面、即ち、巾狭設定位置７に位置し、この二つ折りされた調整板３Ａの板厚分（即ち板二枚の厚さ分）、載置収納部２の収納横巾を巾狭となり、よって、載置収納部２に対して小さめのタンク４をがたつくことなく、また、きつく嵌合することもなく安定して載置収納することができる。
【００８３】
また、図８の（ｃ）に示すように、二つ折り状態の調整板３Ａを一枚の板状とすると、長方形の一枚板が巾狭設定位置７に位置されることとなり、一枚の板厚分、収納横巾を巾狭にでき、これにより、載置収納部２に対してやや小さめのタンク４をがたつくことなく、また、きつく嵌合することもなく安定して載置収納することができる。
【００８４】
これにより、図８（ａ）に示すように、調整体３を補強凸条５Ａの突出上面（巾広設定位置８）に位置させることで、補強凸条５Ａの突出先端面により収納横巾が巾広に設定され、大きめのタンク４を安定して載置収納することができ、また、図８（ｂ）に示すように、調整板３Ａが二つ折り状態で補強凸条５Ａの突出先端面（巾狭設定位置７）に位置されることで、この二つ折りされた調整板３Ａの板厚分（即ち板二枚の厚さ分）、載置収納部２の収納横巾を巾狭にでき、更に、図８（ｃ）に示すように、調整板３Ａを一枚の板状にすることで、一枚の板厚分、収納横巾を巾狭にでき、これにより、載置収納部２に対して小さいタンク４をその大きさに応じて調整板３Ａの厚さを選択し、がたつくことなく、また、きつく嵌合されることもなく安定して載置収納することができる。
【００８５】
従って、一つの調整体３で調整板３Ａの板厚を簡易な操作で変えることができるため、秀れた機能性を発揮することができる。
【００８６】
尚、図８に示した調整体３は、調整板３Ａを巾狭設定位置７に位置させた際に、この調整板３Ａの板厚を二段階で調整できる構成としたが、巾広設定位置８上から巾狭設定位置７に調整板３Ａを位置変更した際、調整板３Ａは自重により、一枚の板状となるように構成しても良い。
【００８７】
図９に示した調整体３は、載置収納部２の収納横巾を調整する調整板３Ａと、この調整板３Ａを補強凸条５Ａの突出先端面に垂下状態に位置させる連結板３Ｂとで断面Ｌ字状に一体形成され、更に連結板３Ｂには連結板３Ｂ（及び連結板３Ａ）を補強凸条５Ａに配設するための係止体３Ｄを突設した構成としている。
【００８８】
この係止体３Ｄは、連結板３Ｂの長さ方向に所定間隔を置いて二箇所に突設した構成としている。
【００８９】
また、補強凸条５Ａの突出上面には係止体３Ｄを差し込むための係止孔１６を突出方向に二箇所設け、また、補強凸条５の巾方向にも二箇所設けた構成としている。
【００９０】
即ち、図９に示した調整体３は、補強凸条５Ａに対して着脱することで巾狭設定位置及び巾広設定位置８に適宜位置変更できる構成としている。
【００９１】
これにより、図９（ａ）に示すように、連結板３Ｂに突設した係止体３Ｄを突出上面の突出方向に設けた係止孔１６に差し込み係止すると、図９（ｂ）に示すように、調整板３Ａが、補強凸条５Ａの突出先端面（巾狭設定位置７）に位置され、この調整板３Ａの板厚により載置収納部２の収納横巾が巾狭に設定されることとなる。
【００９２】
また、補強凸条５Ａの巾方向に設けた係止孔１６に係止体３Ｄを差し込み係止すると、図９（Ｃ）に示すように、調整板３Ａが、補強凸条５Ａの突出側面（巾広設定位置８）に位置され、補強凸条５Ａの夫々の突出先端面により載置収納部２の収納横巾は巾広に設定されることとなる。
【００９３】
従って、調整体３は、予め突出上面に設けた係止孔１６に係止体３Ｄを差し込み係止して調整板３Ａを巾狭設定位置７又は巾広設定位置８に位置させる構成のため、調整板３Ａは確固に巾狭設定位置７又は巾広設定位置８に配置することができる。
【００９４】
図１０に示す調整体３は、載置収納部２の収納横巾を調整する調整板３Ａと、この調整板３Ａを補強凸条５Ａの突出先端面に位置（付設）させるための係止体３Ｄとにより構成されている。
【００９５】
係止体３Ｄは、調整板３Ａの長さ方向に所定間隔を置いて二箇所に突設した構成としている。
【００９６】
また、補強凸条５Ａの突出先端面には前記係止体３Ｄを差し込むための係止孔１６を上下方向に二箇所設け、また、同じく補強凸条５Ａの突出上面にも、突出方向に二箇所設けた構成としている。
【００９７】
即ち、図１０に示す調整体３は、補強凸条５Ａに対して着脱することで、巾狭設定位置７及び巾広設定位置８に適宜位置変更し得る構成としている。
【００９８】
これにより、補強凸条５Ａの突出先端面に設けた係止孔１６に係止体３Ｄを差し込み係止すると、調整板３Ａが補強凸条５Ａの突出先端面（巾狭設定位置７）に位置し、この調整板３Ａの板厚により載置収納部２の収納横巾が巾狭に設定されることとなる。
【００９９】
また、補強凸条５Ａの突出先端面から調整板３Ａを取り外し、補強凸条５Ａの突出上面に係止体３Ｄを差し込み係止すると、補強凸条５Ａの夫々の突出先端面により、載置収納部２の収納横巾が巾広に設定されることとなる。
【０１００】
従って、調整体３を補強凸条５Ａに対して着脱し、所定位置で差し込み係止するだけで、調整板３Ａを巾狭設定位置７及び巾広設定位置８に簡単に適宜位置変更して収納横巾を巾広にも巾狭にも設定でき、また、調整体３は、調整板３Ａに係止体３Ｄを突設した簡易な構成のため、容易に設計実現でき秀れた量産性を発揮することができる。
【０１０１】
尚、本発明は、本実施例に限られるものではなく、各構成要件の具体的構成は適宜設計し得るものである。
【０１０２】
【発明の効果】
本発明は上述のように構成したから、トレイ体の載置収納部に、この載置収納部の収納縦巾若しくは載置収納部の収納横巾を巾広及び巾狭に適宜設定変更し得る調整体を設け、この調整体を所定位置に適宜位置変更するだけで、前記収納縦巾若しくは前記収納横巾を巾広にも巾狭にも設定でき、しかも、この位置変更は簡単な操作で行うことができる上に、この調整体はトレイ体へのタンクの載置収納を阻害することなく載置収納部内において保管でき、前記収納縦巾若しくは収納横巾が巾広な状態又は巾狭な状態を保持することができる実用性に秀れた画期的なタンク収納トレイとなる。
【０１０３】
また、請求項２記載の発明においては、上記作用効果を簡易に実現することができる実用性に秀れた画期的なタンク収納トレイとなる。
【０１０４】
また、請求項３記載の発明においては、補強部によってトレイ体の強度を上げることができ、また、補強部は載置収納部の内部側面に対して突出状態となっていることで、この補強部により前記収納縦巾若しくは前記収納横巾を巾広に設定でき、即ち、調整体が載置収納部に載置収納したタンクと補強部との間に介在する位置（即ち巾狭設定位置）、及び、調整体が前記タンクと補強部との間に介在しない位置（即ち巾広設定位置）に、簡易に位置変更でき、また、調整体を、載置収納部とタンクとの間に介在させない際にも、この調整体を載置収納部内に確実に保管（収納）しておくことができる実用性に秀れた画期的なタンク収納トレイとなる。
【０１０５】
また、請求項４記載の発明においては、簡易な操作によって載置収納部の収納縦巾若しくは収納横巾を巾広にも巾狭にも設定変更することができる実用性に秀れた画期的なタンク収納トレイとなる。
【図面の簡単な説明】
【図１】本実施例の使用状態を示す説明斜視図である。
【図２】本実施例の調整体を示す拡大説明斜視図である。
【図３】本実施例の使用状態を示す拡大説明側断面図である。
【図４】本実施例の調整体の別例を示す拡大説明斜視図である。
【図５】本実施例の調整体の別例を示す拡大説明斜視図である。
【図６】本実施例の調整体の別例を示す拡大説明斜視図である。
【図７】本実施例の調整体の別例を示す拡大説明斜視図である。
【図８】本実施例の調整体の別例を示す拡大説明斜視図である。
【図９】本実施例の調整体の別例を示す拡大説明斜視図である。
【図１０】本実施例の調整体の別例を示す拡大説明斜視図である。
【図１１】本実施例の連結部を示す拡大説明分解斜視図である。
【図１２】本実施例の連結部を示す拡大説明断面図である。
【符号の説明】
１　トレイ体
２　載置収納部
３　調整体
４　タンク
５　補強部
７　巾狭設定位置
８　巾広設定位置
【図１】
2004142757.tif 000003
【図２】
2004142757.tif 000004
【図３】
2004142757.tif 000005
【図４】
2004142757.tif 000006
【図５】
2004142757.tif 000007
【図６】
2004142757.tif 000008
【図７】
2004142757.tif 000009
【図８】
2004142757.tif 000010
【図９】
2004142757.tif 000011
【図１０】
2004142757.tif 000012
【図１１】
2004142757.tif 000013
【図１２】
2004142757.tif 000014